(57)【特許請求の範囲】
【請求項１】
カードの表面に、個人識別情報を含む記録事項が、読取り可能および書込み可能なカラードットに変換されて印刷・表示された情報記録カードにおいて、
前記記録事項は、前記カラードットを表すカラーと文字データとカラーコードとデータコードとを対応付けるコード変換テーブルに基づいて、前記カラードットに変換されて印刷・表示されることを特徴とする情報記録カード。
【請求項２】
前記カラードットに変換した前記記録事項が前記カードの固有情報を含むことを特徴とする請求項１記載の情報記録カード。
【請求項３】
前記カラードットに変換した前記個人識別情報が顔写真であることを特徴とする請求項１記載の情報記録カード。
【請求項４】
前記カードが社員証・学生証・メンバーズクラブ会員証等の身分証明証、パスポート、運転免許証、診察券、立入許可証、キャッシュカード、クレジットカードまたは図書館カードであることを特徴とする請求項１〜３のいずれか１項に記載の情報記録カード。
【請求項５】
請求項１〜４のいずれか１項に記載された情報記録カードの表面に印刷・表示されたカラードットを読取るデータ読取り部と、前記データ読取り部で読取った前記カラードットをコード変換テーブルを用いて記録事項に対応したデータに復元するデータ復号化部と、前記データ復号化部で復元された前記記録事項を表示する表示部とから構成したことを特徴とする情報読取りシステム。
【請求項６】
請求項１〜４のいずれか１項に記載された情報記録カードの表面に印刷・表示されたカラードットを読取るデータ読取り部と、前記データ読取り部で読取った前記カラードットをコード変換テーブルを用いて記録事項に対応したデータに復元するデータ復号化部と、前記データ復号化部で復元された前記記録事項を表示する表示部と、前記データ復号化部で復元された前記記録事項を更新するための記録事項更新部と、前記記録事項更新部で更新された前記記録事項を前記コード変換テーブルを用いて前記カラードットに変換するデータ符号化部と、前記データ符号化部で変換した前記カラードットを前記情報記録カードに印刷・出力するデータ書込み部とから構成したことを特徴とする情報読取り／書込みシステム。
【発明の詳細な説明】
【０００１】
【発明の属する技術分野】
本発明は、社員証・学生証・メンバーズクラブ会員証等の身分証明証、パスポート、運転免許証、診察券、立入許可証、キャッシュカード、クレジットカードまたは図書館カードとして用いられる情報記録カードおよび該情報記録カードの情報読取りシステム、情報読取り／書込みシステムに関する。
【０００２】
【従来の技術】
情報記録カードとして、上記各種カードが知られている。これらの情報記録カードは、運転免許証における運転制限等の免許データやクレジットカードにおけるカード番号等の固有情報が表示されていたり、カード所有者の住所・氏名等の個人識別情報が表示されている。また、個人識別情報として所有者の顔写真が貼られていたり、所有者が自筆で署名しておく署名欄のあるカードもある。そして、これらの個人識別情報に基づいて本人認証が行われる。しかしながら、顔写真や署名は容易に偽造が可能であり、情報記録カードの拾得や不正取得により本人になりすまして第三者が不正使用するケースが激増している。
【０００３】
また、上記不正使用を防止するために個人識別情報をバーコードで記録したり情報記録カード内に埋め込んだＩＣチップに記録する方式も普及しているが、記録容量が小さかったり、高価であるという欠点がある。
【０００４】
【発明が解決しようとする課題】
本発明は、このような従来技術の欠点に鑑みてなされたものであり、簡単な構成で安価にかつ高密度に情報を記録できて不正使用を防止することができ、しかもプライバシー保護の観点から第三者に記録内容を読取られることのない情報記録カードおよび該情報記録カードの情報読取りシステム、情報読取り／書込みシステムを提供するものである。
【０００５】
【課題を解決するための手段】
上記課題を解決するために、本発明に係る情報記録カードは、
カードの表面に、個人識別情報を含む記録事項が、読取り可能および書込み可能なカラードットに変換されて印刷・表示された情報記録カードにおいて、
記録事項は、カラードットを表すカラーと文字データとカラーコードとデータコードとを対応付けるコード変換テーブルに基づいて、カラードットに変換されて印刷・表示されることを特徴とするものである。
【０００６】
また、本発明に係る情報記録カードは、カラードットに変換した記録事項がカードの固有情報を含むことを特徴とするものである。
【０００８】
また、本発明に係る情報記録カードは、カラードットに変換した個人識別情報が顔写真であることを特徴とするものである。
【０００９】
また、本発明に係る情報記録カードは、社員証・学生証・メンバーズクラブ会員証等の身分証明証、パスポート、運転免許証、診察券、立入許可証、キャッシュカード、クレジットカードまたは図書館カードであることを特徴とするものである。
【００１０】
また、本発明に係る情報読取りシステムは、前述した情報記録カードの表面に印刷・表示されたカラードットを読取るデータ読取り部と、該データ読取り部で読取ったカラードットをコード変換テーブルを用いて記録事項に対応したデータに復元するデータ復号化部と、該データ復号化部で復元された記録事項を表示する表示部とから構成したことを特徴とするものである。
【００１１】
また、本発明に係る情報読取り／書込みシステムは、前述した情報記録カードの表面に印刷・表示されたカラードットを読取るデータ読取り部と、該データ読取り部で読取ったカラードットをコード変換テーブルを用いて記録事項に対応したデータに復元するデータ復号化部と、該データ復号化部で復元された記録事項を表示する表示部と、前記データ復号化部で復元された記録事項を更新するための記録事項更新部と、該記録事項更新部で更新された記録事項をコード変換テーブルを用いてカラードットに変換するデータ符号化部と、該データ符号化部で変換したカラードットを前記情報記録カードに印刷・出力するデータ書込み部とから構成したことを特徴とするものである。
【００１２】
【発明の実施の形態】
以下、本発明情報記録カード、情報読取りシステムおよび情報読取り／書込みシステムの実施の形態を図面を参照しつつ詳細に説明する。
【００１３】
図１（Ａ）は情報記録カードの第１の例としての運転免許証１０を示すもので、所有者の顔写真１１が貼り付けられるとともに個人識別情報および固有情報としての免許データをカラードット化して記録した記録事項欄１２が設けられている。
【００１４】
図１（Ｂ）は記録事項欄１２の部分拡大図で、所有者の個人識別情報である現住所や本籍地等の情報および運転制限等の免許データを形成する各文字をカラードットに変換して印刷・表示したものである。
【００１５】
図１（Ｃ）は記録事項欄１２に印刷・表示されたカラードットと各文字との対応関係を説明する図で、カラードットと文字データとがカラーコードおよびデータコードを介して相互に対応することを示すものである。
【００１６】
この第１の例の運転免許証１０では、カラードットに変換した記録事項に所有者本人しか知り得ない本籍地等の情報が含まれているので、この運転免許証１０を拾得したり不正取得した第三者が本人になりすまして不正使用することができない。
【００１７】
図２は情報記録カードの第２の例としての診察券２０を示すもので、所有者の顔写真２１が貼り付けられるとともに個人識別情報および固有情報としてのカルテデータをカラードット化して記録した記録事項欄２２が設けられている。記録事項欄２２のカルテデータとしては罹病歴、投薬歴、検査歴等が含まれる。
【００１８】
この第２の例の診察券２０では、カルテデータをカラードットに変換しているので、第三者に記録内容を読取られることがなく、プライバシー保護を図ることができる。
【００１９】
図３は情報記録カードの第３の例としてのクレジットカード３０を示すもので、個人識別情報および固有情報としての与信データをカラードット化して記録した記録事項欄３２が設けられている。また、前記第１および第２の例ではカラードットに変換した記録事項はテキストデータを前提としていたが、この第３の例であるクレジットカード３０ではイメージデータである所有者の顔写真および署名をカラードット化して記録した記録事項欄３３が更に設けられている。
【００２０】
この第３の例のクレジットカード３０では、プライバシー保護の観点から第三者に記録内容を読取られては困る与信情報の他、顔写真および署名自体をカラードット化して記録しているため、このクレジットカードを拾得したり不正取得した第三者が本人になりすまして不正使用することができない。
【００２１】
ここで、カラードットの集合体としての記録事項欄が１２００ｄｐｉの密度で印刷されているとすると、１平方インチあたり１４４万ドット即ち、１ドットで１文字を表現する場合、１平方インチの大きさに１４４万文字という極めて膨大な情報を記録することができるものであり、第２の例におけるカルテデータのように次第に記録事項が増加するものにも十分、対応できるものである。
【００２２】
また、１ドット毎に例えば単語・熟語・慣用句・人名・地名・専門用語・外国語等の各種用語辞典の１見出し語を表現すれば、さらに多くの情報を記録することができる。
【００２３】
また、第３の例におけるイメージデータの場合も周知のデータ圧縮処理を施した上でカラードット化して記録すれば、十分、対応できるものである。
【００２４】
図４は情報読取り／書込みシステムの一の例を示すシステム構成図であるが、本構成図には情報読取りシステムの構成も含まれるので、両システムを合せて説明する。図中、４１はデータ読取り部で、該データ読取り部４１に上述した各種の情報記録カード１０，２０，３０が挿入されて記録事項欄１２，２２，３２，３３に印刷・表示されたカラードットを読取る。
【００２５】
４２はカラーコード入出力制御部で、該カラーコード入出力制御部４２はデータ読取り部４１で読取られたカラードットをＣＰＵ４３を介して入力され、該カラードットに対応するカラーコードを出力する。
【００２６】
４４はデータコード入出力制御部で、該データコード入出力制御部４４はカラーコード入出力制御部４２から出力されたカラーコードをＣＰＵ４３を介して入力される。カラーコードを入力されたデータコード入出力制御部４４は、コード変換テーブル部４５を参照してカラーコードに対応するデータコードを出力する。
【００２７】
４６は表示部としてのモニターで、該モニター４６はデータコード入出力制御部４４から出力されたデータコードをＣＰＵ４３を介して入力され、該データコードに対応するデータ、即ち情報記録カード１０，２０，３０の記録事項欄１２，２２，３２，３３に記録された記録事項を出力・表示する。
【００２８】
なお、上述のコード変換テーブル部４５は、カラードットと記録事項の各文字、イメージとを相互に変換するための対応関係を格納したテーブルで、模式的には上述の図１（Ｃ）と同様の構造になっている。
【００２９】
４７は記録事項更新部としてのキーボードで、該キーボード４７から情報記録カード１０，２０，３０の記録事項欄１２，２２，３２，３３に新たな交通違反歴、投薬歴、与信残高等の記録事項を入力する。
【００３０】
キーボード４７から新たに入力された記録事項はデータコードに変換されてデータコード入出力制御部４４にＣＰＵ４３を介して入力され、該データコード入出力制御部４４はコード変換テーブル部４５を参照してデータコードに対応するカラーコードを出力する。
【００３１】
データコード入出力制御部４４から出力されたカラーコードはＣＰＵ４３を介してカラーコード入出力制御部４２に入力され、該カラーコード入出力制御部４２は該カラーコードに対応するカラードットをＣＰＵ４３を介して出力する。
【００３２】
４８はデータ書込み部で、該データ書込み部４８はカラーコード入出力制御部４２から出力されたカラードットを情報記録カード１０，２０，３０の記録事項欄１２，２２，３２に印刷・出力する。
【００３３】
ここで、カラーコード入出力制御部４２、ＣＰＵ４３、データコード入出力制御部４４およびコード変換テーブル部４５がデータ符号化部およびデータ復号化部を構成する。
【００３４】
図５は情報読取り／書込みシステムの他の例を示すシステム構成図であり、上述の一の例におけるコード変換テーブル部４５をネットワーク４９を介して遠隔地に設置したものであって、複数の情報読取り／書込みシステム５０を遠隔地の管理センター等５１で一括集中管理する構成とした例を示すものである。
【００３５】
本例の場合、デパート等への入店時にクレジットカード３０の記録事項欄３２の記録事項を読取った後、この内容をクレジット会社に送信して精算時までに最新の与信データを入手し、決済の可否判定を行うという事例に適用して最適のものである。なお、他の構成は一の例と同一であるので、同じ符号を付し、説明を省略する。
【００３６】
以上、本発明の一実施形態を図面を参照して詳述したが、本発明は該実施形態に限定されるものではなく、特許請求の範囲に記載の範囲内で、それに各種の改変を施して実施することが可能である。
【００３７】
【発明の効果】
本発明に係る情報記録カード、情報読取りシステムおよび情報読取り／書込みシステムは上記のように構成され、安価にかつ高密度に記録できて不正使用を防止することができ、しかも記録事項欄のカラードットは視覚上、暗号化された状態と同一であるので、第三者に記録内容を勝手に読取られることがなくプライバシーの保護を図ることができる。
【００３８】
また、本発明に係る情報読取り／書込みシステムではカラードット化したデータを記録事項欄に追記することができるように構成されているので、免許データ、カルテデータ、与信データのように記録事項が増えたり、変更されたりしていく情報記録カードに用いて最適である。
【図面の簡単な説明】
【図１】（Ａ）は情報記録カードの第１の例を示す図、（Ｂ）は記録事項欄の部分拡大図、（Ｃ）はカラードットと各文字との対応関係を説明する図
【図２】情報記録カードの第２の例を示す図
【図３】情報記録カードの第３の例を示す図
【図４】情報読取り／書込みシステムの一の例を示すシステム構成図
【図５】情報読取り／書込みシステムの他の例を示すシステム構成図
【符号の説明】
１０…運転免許証
１１、２１…顔写真
１２、２２、３２、３３…記録事項欄
２０…診察券
３０…クレジットカード
４１…データ読取り部
４２…カラーコード入出力制御部
４３…ＣＰＵ
４４…データコード入出力制御部
４５…コード変換テーブル部
４６…モニター
４７…キーボード
４８…データ書込み部
４９…ネットワーク
５０…情報読取り／書込みシステム
５１…管理センター等
【図１】
0004800506.tif 000002
【図２】
0004800506.tif 000003
【図３】
0004800506.tif 000004
【図４】
0004800506.tif 000005
【図５】
0004800506.tif 000006